(57)【要約】【課題】作業者が押さえなくても運搬物の投入作業時に手押し一輪車が転倒することを防止することができる手押し一輪車用転倒防止具を提供する。【解決手段】手押し一輪車１０の転倒を防止する手押し一輪車用転倒防止具１を、一対の側辺部２ａと一対の側辺部２ａを互いに連結する連結部２ｂとを備えるベース２と、それぞれ側辺部２ａに連結され、側辺部２ａから起立して互いの間に手押し一輪車１０を配置可能な一対の支持体３と、を有することを特徴とする構成とする。【選択図】図１
2017007601.tif 000002
【特許請求の範囲】
【請求項１】
手押し一輪車の転倒を防止する手押し一輪車用転倒防止具であって、
一対の側辺部と該一対の側辺部を互いに連結する連結部とを備えるベースと、
それぞれ前記側辺部に連結され、該側辺部から起立して互いの間に前記手押し一輪車を配置可能な一対の支持体と、を有することを特徴とする手押し一輪車用転倒防止具。
【請求項２】
前記ベース及び一対の前記支持体が、それぞれパイプ材により形成されている、請求項１に記載の手押し一輪車用転倒防止具。
【請求項３】
前記ベースが矩形形状に曲げたパイプ材により形成され、一対の前記支持体がそれぞれ逆Ｕ字形状に曲げたパイプ材により形成されている、請求項２に記載の手押し一輪車用転倒防止具。
【請求項４】
一対の前記支持体が、それぞれ前記側辺部に着脱自在に固定されている、請求項１〜３の何れか１項に記載の手押し一輪車用転倒防止具。
【請求項５】
一対の前記支持体が、それぞれ前記側辺部の長手方向の一方側に偏った位置に配置されている、請求項１〜４の何れか１項に記載の手押し一輪車用転倒防止具。
【請求項６】
前記手押し一輪車を搭載可能な板状に形成されて前記ベースに設置される底板をさらに有する、請求項１〜５の何れか１項に記載の手押し一輪車用転倒防止具。
【発明の詳細な説明】
【技術分野】
【０００１】
本発明は、手押し一輪車が、その荷台への運搬物の投入作業中に転倒するのを防止するための技術に関する。
【背景技術】
【０００２】
従来から、住宅の基礎工事や外構工事等の作業現場において土や砕石等の運搬物を運搬するために、ねこ車とも呼ばれる手押し一輪車が用いられている。
【０００３】
上記手押し一輪車としては、例えば特許文献１に記載されるように、フレームで構成される車体の一端側に一対のハンドル（取っ手）を備え、他端側に車輪を備えるとともに、ハンドルと車輪の間の部分に運搬物を収容するカップ状の荷台が固定された構成のものが知られている。
【０００４】
このような手押し一輪車は、車体の各ハンドルと車輪との間の部分にそれぞれ下方に向けて突出する支持脚を備え、これらの支持脚を接地させることで、作業者が手を離しても自立できるように構成されている。
【先行技術文献】
【特許文献】
【０００５】
【特許文献１】登録実用新案第３１７６９１２号公報
【発明の概要】
【発明が解決しようとする課題】
【０００６】
手押し一輪車の荷台に土や砕石等の運搬物を投入する作業を行う際には、通常、手押し一輪車を自立させつつ作業者がハンドルや荷台を押さえておくことで、投入される運搬物の衝撃で手押し一輪車が転倒してしまうことを防止するようにしている。
【０００７】
しかしながら、バックホー等の重機（作業機械）を用いて手押し一輪車の荷台に土や砕石等の運搬物を投入する作業を行う場合には、作業者の安全を確保するために、重機の旋回範囲外に作業者を退避させる必要がある。そのため、作業者が手押し一輪車を押さえておくことができず、手押し一輪車を自立させた状態で投入作業が行われることになるので、足場の悪い現場等においては、投入される運搬物の衝撃によって手押し一輪車が容易に転倒してしまうという問題があった。
【０００８】
本発明は、このような点を解決し、その目的は、作業者が押さえなくても運搬物の投入作業時に手押し一輪車が転倒することを防止することができる手押し一輪車用転倒防止具を提供することにある。
【課題を解決するための手段】
【０００９】
本発明の手押し一輪車用転倒防止具は、手押し一輪車の転倒を防止する手押し一輪車用転倒防止具であって、一対の側辺部と該一対の側辺部を互いに連結する連結部とを備えるベースと、それぞれ前記側辺部に連結され、該側辺部から起立して互いの間に前記手押し一輪車を配置可能な一対の支持体と、を有することを特徴とする。
【００１０】
本発明の手押し一輪車用転倒防止具は、上記構成において、前記ベース及び一対の前記支持体が、それぞれパイプ材により形成されているのが好ましい。
【００１１】
本発明の手押し一輪車用転倒防止具は、上記構成において、前記ベースが矩形形状に曲げたパイプ材により形成され、一対の前記支持体がそれぞれ逆Ｕ字形状に曲げたパイプ材により形成されているのが好ましい。
【００１２】
本発明の手押し一輪車用転倒防止具は、上記構成において、一対の前記支持体が、それぞれ前記側辺部に着脱自在に固定されているのが好ましい。
【００１３】
本発明の手押し一輪車用転倒防止具は、上記構成において、一対の前記支持体が、それぞれ前記側辺部の長手方向の一方側に偏った位置に配置されているのが好ましい。
【００１４】
本発明の手押し一輪車用転倒防止具は、上記構成において、前記手押し一輪車を搭載可能な板状に形成されて前記ベースに設置される底板をさらに有するのが好ましい。
【発明の効果】
【００１５】
本発明によれば、手押し一輪車用転倒防止具を運搬物の投入作業を行う場所に設置し、一対の支持体の間に手押し一輪車を配置した状態で荷台へ運搬物の投入作業を行うことにより、手押し一輪車が転倒しそうになっても、支持体が側方から支持することで当該手押し一輪車の転倒を防止することができる。このように、本発明によれば、作業者が押さえていなくても運搬物の投入作業時に手押し一輪車が転倒することを防止することができる手押し一輪車用転倒防止具を提供することができる。
【図面の簡単な説明】
【００１６】
【図１】本発明の一実施の形態である手押し一輪車用転倒防止具の斜視図である。
【図２】図１に示す手押し一輪車用転倒防止具の平面図である。
【図３】図１に示す手押し一輪車用転倒防止具の側面図である。
【図４】ベースから支持体を取り外した状態を示す斜視図である。
【図５】図１に示す手押し一輪車用転倒防止具に手押し一輪車を搭載した状態を示す平面図である。
【図６】図１に示す手押し一輪車用転倒防止具に手押し一輪車を搭載した状態を示す側面図である。
【図７】手押し一輪車用転倒防止具から手押し一輪車を搬出する様子を示す説明図である。
【発明を実施するための形態】
【００１７】
以下、図面を参照して、本発明をより具体的に例示説明する。
【００１８】
図１〜図３に示す本発明の一実施の形態である手押し一輪車用転倒防止具（以下、転倒防止具とする）１は、ねこ車とも呼ばれる手押し一輪車の荷台に土や砕石等の運搬物を投入する作業を行う際に用いられ、当該手押し一輪車の転倒を防止するものである。
【００１９】
この転倒防止具１は、ベース２、一対の支持体３を有している。また、本発明に必須の構成ではないが、この転倒防止具１は底板４をさらに有している。
【００２０】
ベース２は、一対の側辺部２ａと、これらの側辺部２ａを互いに連結する連結部２ｂとを備えている。本実施の形態においては、ベース２は矩形形状に曲げられるとともに両端が溶接等の手段によって互いに接合されたパイプ材によって形成されている。すなわち、ベース２は、互いに平行な一対の側辺部２ａと、それぞれ一対の側辺部２ａをその長手方向両端部において互いに連結する一対の連結部２ｂとを備えた矩形形状かつ環状のパイプフレームに構成されている。
【００２１】
このように、ベース２をパイプ材によって矩形形状かつ環状に形成することにより、当該ベース２を所望の剛性ないし強度を有するとともに軽量な構成とすることができる。
【００２２】
なお、パイプ材により形成されるベース２は、一対の側辺部２ａと、これらの側辺部２ａを互いに連結する少なくとも１つの連結部２ｂとを備えていれば、例えば、一対の側辺部２ａと、これらの側辺部２ａをその長手方向の中間位置において互いに連結する１つの連結部２ｂとを備えたＨ形状のパイプフレームに構成したり、一対の側辺部２ａを２本以上の連結部２ｂで互いに連結した梯子状のパイプフレームに構成したりするなど、その形態は種々変更可能である。このような場合においても、ベース２をパイプ材で形成することによって、当該ベース２を軽量な構成とすることができる。
【００２３】
一対の支持体３は、それぞれベース２の対応する側の側辺部２ａに連結され、当該側辺部２ａから起立して互いの間に手押し一輪車を配置可能に構成される。これらの支持体３は、互いの間に配置された手押し一輪車が転倒しそうになったときに、当該手押し一輪車に当接してこれを支持することができる。
【００２４】
本実施の形態においては、一対の支持体３は、それぞれ逆Ｕ字形状に曲げたパイプ材により形成されている。すなわち、一対の支持体３は、それぞれ互いに平行な一対の縦枠部３ａと、これらの縦枠部３ａに垂直な方向に延びて縦枠部３ａの上端同士を連結する横枠部３ｂとを備えた逆Ｕ字形状のパイプフレームに構成されている。なお、一対の支持体３は互いに同一の形状となっている。
【００２５】
支持体３の幅つまり一対の縦枠部３ａの間隔は、これが連結される側辺部２ａの両端の間隔、つまり側辺部２ａの長さよりも狭くなっている。また、支持体３は、少なくとも転倒防止具１に配置された手押し一輪車の荷台に対向できる程度の高さを有するように構成されている。
【００２６】
このように、一対の支持体３を、それぞれパイプ材によって逆Ｕ字形状に形成することにより、当該支持体３を所望の剛性ないし強度を有するとともに軽量な構成とすることができる。
【００２７】
なお、パイプ材により形成される一対の支持体３は、転倒しそうになった手押し一輪車に当接して当該手押し一輪車から加えられる荷重に抗してこれを支持することができるものであれば、例えば、横枠部３ｂを円弧状に曲がる形状や、傾斜する一対の縦枠部３ａを上端において互いに鋭角に連結した逆Ｖ字形状、あるいは単なる柱形状など、その形態は種々変更可能である。特に、支持体３は、その側辺部２ａの長手方向に沿う方向の幅ができるだけ狭い形状とされるのが好ましい。
【００２８】
ベース２や一対の支持体３を形成するパイプ材としては、加工性や強度の面から、例えば鋼管等の金属製のパイプ材を用いることができるが、樹脂製のパイプ材など他の材質のパイプ材を用いることもできる。
【００２９】
本実施の形態では、一対の支持体３は、以下に示す構成によってベース２の側辺部２ａに連結されている。すなわち、ベース２の一対の側辺部２ａには、それぞれ連結用のボス５が固定されている。これらのボス５は鋼管等の円筒部材により形成され、その軸方向を上下方向に向けるとともに支持体３の一対の縦枠部３ａの間隔に対応した間隔で溶接等の固定手段によって側辺部２ａに固定されている。そして、一方の支持体３は、一対の縦枠部３ａの下端側部分が、それぞれ対応するボス５の内側に差し込まれることでベース２の一方の側辺部２ａに連結されている。同様に、他方の支持体３は、一対の縦枠部３ａの下端側部分がそれぞれ対応するボス５の内側に差し込まれることでベース２の他方の側辺部２ａに連結されている。
【００３０】
ボス５の側面には図示しない貫通孔が設けられており、この貫通孔の表面に溶接等で固定されたナット６にはボルト７がねじ結合されている。一方、縦枠部３ａの下端側の外面には貫通孔３ｃ（図４参照）が設けられており、各縦枠部３ａがボス５に差し込まれた状態でボルト７が締め込まれると、当該貫通孔３ｃにボルト７が挿入されて支持体３がボス５に対して抜け止めされるようになっている。つまり、ボルト７を緩めることで、図４に示すように、一対の支持体３をベース２の側辺部２ａから容易に取り外すことができるとともに、取り外した支持体３をベース２に容易に取り付けることができるようになっている。
【００３１】
このように、本実施の形態では、一対の支持体３は対応する側辺部２ａに着脱自在に固定された構成となっている。したがって、支持体３をベース２から取り外して転倒防止具１を分解することにより、転倒防止具１を作業現場にまで運搬する作業を容易にすることができる。また、支持体３をベース２から取り外して転倒防止具１を分解することにより、当該転倒防止具１の保管スペースを縮小させることができる。さらに、一対の支持体３がベース２に対してボス５とボルト７を用いて着脱される構成としたことにより、ベース２に対する支持体３の着脱作業を容易に行うことができるとともに、当該着脱構造を簡素で安価な構成とすることができる。
【００３２】
なお、ベース２に対する支持体３の着脱構造は、上記したものに限らず、例えばボルト７に替えてピン部材を用いた構成とするなど、その構造は種々変更可能である。また、支持体３は、ベース２の側辺部２ａに溶接等によって固定された構成とすることもできる。
【００３３】
一対の支持体３は、それぞれ側辺部２ａの長手方向の一方側に偏った位置に配置されるのが好ましい。本実施の形態では、一対の支持体３は、それぞれ側辺部２ａの長手方向中央位置よりも一方側の範囲に配置されている。このような構成とすることで、後述するように、転倒防止具１に配置された手押し一輪車を搬出する際の、当該手押し一輪車の取り回しを容易にすることができる。
【００３４】
底板４は、例えば合板や金属板等の板材により手押し一輪車を搭載可能な大きさの板状に形成され、ベース２の上に設置されている。本実施の形態においては、底板４は、図２に示すように、一対の側辺部２ａの間隔よりも狭い幅を有するとともに一対の連結部２ｂの間隔よりも長い長さを有する矩形形状（長方形状）の合板により形成され、その長手方向の一端を支持体３が偏って配置される側の連結部２ｂに合わせ、他端を他方の連結部２ｂからベース２の外側に突出させるようにベース２の上に設置されている。
【００３５】
このような底板４をベース２の上に設置した構成とすることにより、転倒防止具１に手押し一輪車を配置する際に、当該手押し一輪車が底板４に搭載されるようにして、その荷重を底板４から各連結部２ｂを介してベース２の全体に分散させることができる。
【００３６】
図２、図３に示すように、底板４の底面には一対の位置決め用の垂木４ａが、例えばビス等の固定部材を用いて固定されている。これらの垂木４ａは、それぞれ断面矩形で底板４の幅に対応した長さを有する木製の棒材で形成されており、ベース２の連結部２ｂに該ベース２の内側から対向するように配置されている。底板４は、これらの垂木４ａが連結部２ｂに当接することにより、ベース２に対して側辺部２ａに沿う方向に位置決めされている。なお、底板４は、垂木４ａが側辺部２ａあるいは側辺部２ａと連結部２ｂとの間の湾曲部分にベース２の内側から当接することにより、ベース２に対して幅方向（連結部２ｂに沿う方向）にも位置決めされている。
【００３７】
上記のように、底板４を垂木４ａによりベース２に対して位置決めする構成としたことにより、底板４をベース２の上に載せるだけの簡単な作業で当該底板４をベース２に設置することができる。
【００３８】
底板４のベース２の外側に突出する先端部分の底面には荷重支持用の垂木４ｂが、例えばビス等の固定部材を用いて固定されている。この垂木４ｂも断面矩形で底板４の幅に対応した長さを有する棒材で形成されている。また、垂木４ｂは、ベース２を構成する側辺部２ａや連結部２ｂと同程度の厚みに形成されており、底板４がベース２の上に設置された状態において当該ベース２が配置される地面に当接するようになっている。これにより、底板４のベース２の外側に突出した部分に手押し一輪車が載っても、その荷重を垂木４ｂにより支持してベース２が連結部２ｂを支点として跳ね上げられることを防止することができる。
【００３９】
底板４に設ける垂木４ａ、４ｂは、上記した機能を生じることができるものであれば、その長さや材質、形状等は種々変更可能である。また、底板４は、垂木４ａ、４ｂを用いることなく、ブラケットやボルト等の締結部材を用いてベース２に固定された構成とすることもできる。
【００４０】
図５、図６に示すように、この転倒防止具１には、例えば以下の構成を有する手押し一輪車１０を搭載することができる。この手押し一輪車１０は、鋼管製のフレームで構成される車体１１の一端側に一対のハンドル（取っ手）１２を備え、車体１１の他端側には車輪（タイヤ）１３がその軸心を中心として回転自在に取り付けられている。また、車体１１のハンドル１２と車輪１３との間の部分には運搬物を収容可能なカップ状の荷台１４が固定されている。さらに、車体１１の各ハンドル１２と車輪１３との間の部分には、それぞれ下方に向けてＶ字形状に突出する支持脚１５がそれぞれ設けられており、これらの支持脚１５を接地させることで自立できるように構成されている。
【００４１】
上記構成の転倒防止具１は、手押し一輪車１０の荷台１４に土や砕石等の運搬物を投入する作業を行う場所に設置される。そして、手押し一輪車１０が転倒防止具１に配置され、この状態で、例えばバックホー等の重機を用いて手押し一輪車１０の荷台１４への運搬物の投入作業が行われる。
【００４２】
ここで、図５、図６に示すように、側方（図６に示す方向）から見て、側辺部２ａの長さは手押し一輪車１０の車輪１３と支持脚１５の間隔よりも長くなっている。また、図５に示すように、一対の連結部２ｂの長さ、つまり一対の支持体３の間隔は手押し一輪車１０の荷台１４の幅よりも広くなっており、一対の支持体３の間に手押し一輪車１０を配置できるようになっている。したがって、作業者は、一方の連結部２ｂの側から底板４の上に向けて手押し一輪車１０を搬入することで、ベース２の範囲内において車輪１３と一対の支持脚１５とが底板４に配置されるように手押し一輪車１０を転倒防止具１に配置することができる。
【００４３】
このように、転倒防止具１に手押し一輪車１０が配置されると、手押し一輪車１０の荷重が、車輪１３と一対の支持脚１５から底板４を介して連結部２ｂに伝達されてベース２の全体に分散される。また、この状態で手押し一輪車１０の荷台１４に運搬物が投入されると、手押し一輪車１０の自重に加えて運搬物の重さが加わり、当該荷重によってベース２が地面に均等に押し付けられることで転倒防止具１はさらに安定することになる。したがって、足場が悪い作業現場等においても、転倒防止具１及び手押し一輪車１０の安定性を高めて、転倒防止具１自体や手押し一輪車１０を転倒させることなく荷台１４に対する運搬物の投入作業を行うことができる。
【００４４】
また、手押し一輪車１０が転倒防止具１に配置されると、荷台１４の両側方部分は、それぞれ支持体３に隣接して対向することになる。したがって、荷台１４へ運搬物を投入する際の衝撃によって手押し一輪車１０が側方に向けて転倒しそうになっても、これらの支持体３により手押し一輪車１０が側面から支持されて、手押し一輪車１０の転倒が防止される。例えば手押し一輪車１０が側方に向けて転倒しそうになっても、荷台１４の側面ないし車体１１の一部が支持体３に当接することで、手押し一輪車１０はある程度以上に傾くことが防止されるように支持体３により支持され、転倒が防止される。このとき、手押し一輪車１０の自重や荷台１４に投入された運搬物の重さにより、転倒防止具１は地面に安定的に設置されているので、支持体３に転倒しそうになった手押し一輪車や運搬物の荷重が加わっても転倒防止具１が手押し一輪車１０とともに容易に転倒することはない。このように、本発明の転倒防止具１を用いることにより、作業者が押さえていなくても運搬物の投入作業時に手押し一輪車１０が転倒することを防止することができる。
【００４５】
また、前述のように、本実施の形態では、一対の支持体３をそれぞれ側辺部２ａの長手方向の一方側に偏った位置に配置するようにしている。この場合、図５、図６に示すように、手押し一輪車１０は、その支持脚１５がベース２の支持体３が設けられる側に位置し、車輪１３がベース２の支持体３が設けられない側に位置する向きで転倒防止具１に配置される。このような構成により、図７に示すように、荷台１４への運搬物の投入作業が終了した後、手押し一輪車１０を押して当該手押し一輪車１０を転倒防止具１から搬出する際には、荷台１４が支持体３に対してずれる位置にまで移動すれば、当該手押し一輪車１０を転倒防止具１から完全に下ろす前に、車輪１３を支点としてその方向を左右に自由に変えることができる。したがって、転倒防止具１から手押し一輪車１０を搬出させる際における当該手押し一輪車１０の取り回しを可能にして、狭い作業現場における手押し一輪車１０を用いた運搬作業を容易にすることができる。
【００４６】
さらに、前述のように、本実施の形態では、底板４を、ベース２の支持体３が偏る側とは反対側に向けて当該ベース２から外側に突出させた構成としているので、荷台１４に運搬物が投入された手押し一輪車１０を転倒防止具１から搬出する際に、手押し一輪車１０の車輪１３がベース２の連結部２ｂを乗り越える必要をなくすことができる。これにより、手押し一輪車１０を転倒防止具１から容易に搬出させることができる。
【００４７】
以上、本発明に係る転倒防止具１について、実施形態を挙げて説明したが、本発明は前記実施の形態に限定されるものではなく、その要旨を逸脱しない範囲で種々変更可能であることはいうまでもない。
【００４８】
例えば、前記実施の形態においては、ベース２をパイプ材で形成するようにしているが、これに限らず、例えば金属ない樹脂製の各種のフレームや矩形の板材等の他の部材により構成するようにしてもよい。同様に、支持体３もパイプ材ではなく、手押し一輪車１０を支持することができるものであれば、例えば金属ない樹脂製の各種のフレームや板状のフレーム等の他の部材で構成するようにしてもよい。
【００４９】
また、前記実施の形態においては、底板４をベース２の上に設置するようにしているが、底板４をベース２の下に設置した構成とすることもできる。この場合、底板４をブラケットやボルト等の締結部材を用いてベース２に固定するのがよい。この構成によっても、底板４に搭載された手押し一輪車１０の荷重を底板４の全体で地面に伝達するとともに、当該底板４でベース２の全体を均等に支持して、転倒防止具１や手押し一輪車１０を安定化させることができる。
【００５０】
さらに、前記実施の形態においては、ベース２に底板４を設置するようにしているが、底板４を設けない構成とすることもできる。
【００５１】
さらに、前記実施の形態においては、支持体３を側辺部２ａの長手方向の一方側に偏った位置に配置するようにしているが、これに限らず、支持体３は、手押し一輪車１０の荷台１４や車体１１の一部を支持して当該手押し一輪車１０を支持できる位置であれば、例えば側辺部２ａの長手方向の中央部など任意の位置に配置することができる。
【００５２】
さらに、ベース２のそれぞれの側辺部２ａに、それぞれ複数の支持体３を設けることもできる。
【符号の説明】
【００５３】
１    手押し一輪車用転倒防止具
２    ベース
２ａ  側辺部
２ｂ  連結部
３    支持体
３ａ  縦枠部
３ｂ  横枠部
３ｃ  貫通孔
４    底板
４ａ  位置決め用の垂木
４ｂ  荷重支持用の垂木
５    ボス部
６    ナット
７    ボルト
１０    手押し一輪車
１１    車体
１２    ハンドル
１３    車輪
１４    荷台
１５    支持脚
【図１】
2017007601.tif 000003
【図２】
2017007601.tif 000004
【図３】
2017007601.tif 000005
【図４】
2017007601.tif 000006
【図５】
2017007601.tif 000007
【図６】
2017007601.tif 000008
【図７】
2017007601.tif 000009